Podtech/llm-jp-corpus-v4-ja_patent huggingface dataset:
【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
少なくとも１種の非水溶性活性薬剤を含む微粒子であって、
（ａ）少なくとも１種の脂肪酸もしくは結合型脂肪酸、界面活性剤、親水性ポリマー、またはそれらの組み合わせに、少なくとも１種の非水溶性活性薬剤を溶解、融解、または懸濁して混合物を形成するステップ、および
（ｂ）ステップ（ａ）の混合物を親水性または親油性担体と混合して、１００ｎｍ〜２５ミクロンの直径を有する微粒子を形成するステップ
を含む方法により取得可能であり、
ここで、
脂肪酸もしくは結合型脂肪酸の濃度が、微粒子および担体の約１重量％〜約２０重量％であり、
界面活性剤の濃度が、微粒子および担体の約１重量％〜約５０重量％であり、
親水性ポリマーの濃度が、微粒子および担体の約１重量％〜約５０重量％であり、ただし、親水性ポリマーがポリエチレングリコールの場合には、微粒子および担体の約１重量％〜約８０重量％であり、
微粒子および担体が、軟質ゼラチンもしくは硬質ゼラチン、または非ゼラチンカプセルに封入されている
微粒子。
【請求項２】
ステップ（ａ）の界面活性剤が、約１０を超えるＨＬＢを有する、請求項１に記載の微粒子。
【請求項３】
ステップ（ａ）の界面活性剤が、約１４を超えるＨＬＢを有する、請求項１に記載の微粒子。
【請求項４】
ステップ（ａ）の界面活性剤が、約１６を超えるＨＬＢを有する、請求項１に記載の微粒子。
【請求項５】
結合型脂肪酸が、Ｃ10〜Ｃ18モノグリセリド、ポリアルキレンオキシドに結合したＣ10〜Ｃ18脂肪酸、モノサッカライドに結合したＣ10〜Ｃ18脂肪酸、およびそれらの組み合わせからなる群から選択される、請求項１から４のいずれかに記載の微粒子。
【請求項６】
脂肪酸が、Ｃ10〜Ｃ18脂肪酸である、請求項１から４のいずれかに記載の微粒子。
【請求項７】
脂肪酸が、ドデカン（ラウリン）酸、テトラデカン（ミリスチン）酸、ヘキサデカン（パルミチン）酸、ヘプタデカン（マルガリン）酸、オクタデカン（ステアリン）酸、エイコサン（アラキジン）酸、ドコサン（ベヘン）酸、テトラコサン（リグノセリン）酸、ヘキサコサン（セロチン）酸、ヘプタコサン（カルボセリン）酸、オクタコサン（モンタン）酸、トリアコンタン（メリシン）酸、ドトリアコンタン（ラッセル）酸、トリトリアコンタン（セロメリシン）酸、テトラトリアコンタン（ゲダ）酸、ペンタトリアコンタン（セロプラスチン）酸、およびそれらの組み合わせからなる群から選択される、請求項６に記載の微粒子。
【請求項８】
親水性ポリマーが、ポロキソマー、ポロキサミン、およびポリエチレングリコールからなる群から選択される、請求項１から７のいずれかに記載の微粒子。
【請求項９】
非水溶性活性薬剤が、フェノフィブラート、シロスタゾール、アセタゾラミド、アルベンダゾール、アロプリノール、アゾチオプリン、カルバマゼピン、クロファジミン、ダプソン、ジアゼパム、フロ酸ジロキサニド、ドキシサイクリン、エファビレンツ、フロセミド、グリベンクラミド、グリセオフルビン、ハロペリドール、イブプロフェン、ロピナビル、ネビラピン、ニクロサミド、ニフェジピン、パラセタモール、副甲状腺カルシトニン、パルミチン酸レチノール、リトナビル、スルファジアジン、スルファメトキサゾール、およびスルファサラジンからなる群から選択される、請求項１から８のいずれかに記載の微粒子。
【請求項１０】
非水溶性活性薬剤が、フェノフィブラートまたはシロスタゾールである、請求項９に記載の微粒子。
【請求項１１】
脂肪酸もしくは結合型脂肪酸の濃度が、微粒子および担体の約５重量％〜約１５重量％である、請求項１から１０のいずれかに記載の微粒子。
【請求項１２】
界面活性剤の濃度が、微粒子および担体の約５重量％〜約１５重量％である、請求項１から１１のいずれかに記載の微粒子。
【請求項１３】
親水性ポリマーの濃度が、微粒子および担体の約５重量％〜約１５重量％である、請求項１から１２のいずれかに記載の微粒子。
【請求項１４】
ポリエチレングリコールの濃度が、微粒子および担体の約３０重量％〜約６０重量％である、請求項１から１３のいずれかに記載の微粒子。
【請求項１５】
ポリエチレングリコールの濃度が、微粒子および担体の約４０重量％〜約６０重量％である、請求項１４に記載の微粒子。
【請求項１６】
結合型脂肪酸の濃度が、微粒子および担体の約１重量％〜約２０重量％である、請求項１から１５のいずれかに記載の微粒子。
【請求項１７】
ステップ（ｂ）の親水性または親油性担体が室温以下である、請求項１から１６のいずれかに記載の微粒子。
【請求項１８】
ステップ（ａ）の混合物が、界面活性剤、および少なくとも１種の脂肪酸もしくは結合型脂肪酸、親水性ポリマー、またはそれらの組み合わせを含む、請求項１から１７のいずれかに記載の微粒子。
【請求項１９】
ステップ（Ｂ）の親水性担体が、ポリエチレングリコール、水、および１種または複数の界面活性剤を含む、請求項１から１８のいずれかに記載の微粒子。
【請求項２０】
活性薬剤が、給食条件または絶食条件下で、水性媒質に懸濁された活性薬剤を含有する製剤と比較して、水性媒質での溶解速度の増強を示す、請求項１から１９のいずれかに記載の微粒子。
【請求項２１】
５ミクロン〜２５ミクロンの直径を有する、請求項１から２０のいずれかに記載の微粒子。
【請求項２２】
活性薬剤がフェノフィブラートの場合には、ＵＳＰ社製溶解装置ＩＩ（羽根式）を使用して７５ｒｐｍで１０００ｍＬの０．０５Ｍドデシル硫酸ナトリウム中、３７．０±０．５℃で１５分間実施する試験において、フェノフィブラートの溶解％が約８５％である、請求項１から２１のいずれかに記載の微粒子。
【請求項２３】
少なくとも１種の非水溶性活性薬剤の溶解および吸収を増強するための方法であって、請求項１〜２２のいずれかに記載の微粒子を提供することを含む方法。
【請求項２４】
請求項１〜２２のいずれかに記載の微粒子を作製する方法であって、
（ａ）少なくとも１種の脂肪酸もしくは結合型脂肪酸、界面活性剤、親水性ポリマー、またはそれらの組み合わせに、少なくとも１種の非水溶性活性薬剤を溶解、融解、または懸濁して混合物を形成するステップ、および
（ｂ）ステップ（ａ）の混合物を親水性または親油性担体と混合して、微粒子を形成するステップ
を含む方法。
【請求項２５】
非水溶性活性薬剤が、約４０℃〜約７０℃の温度で、コーティング材料中に融解、溶解、または分散される、請求項２４に記載の方法。
【請求項２６】
ステップ（ａ）の混合物が、親水性または親油性担体に懸濁および均質化されて微粒子を形成する、請求項２４に記載の方法。
【請求項２７】
ステップ（ａ）の混合物および親水性または親油性担体が約３０分より少ない時間均質化される、請求項２６に記載の方法。
【手続補正書】
【提出日】平成24年10月10日(2012.10.10)
【手続補正１】
【補正対象書類名】特許請求の範囲
【補正対象項目名】全文
【補正方法】変更
【補正の内容】
【特許請求の範囲】
【請求項１】
ゲニステインナトリウム塩二水和物。
【請求項２】
６．０、７．１、１５．３、２５．０°２θ±０．２°２θにおけるピークと、３つのピーク２８．３、２８．６、２９．１°２θ±０．２°２θのうちの少なくとも２つとを有するＸＲＰＤパターンを特徴とする、結晶性ゲニステインナトリウム塩二水和物。
【請求項３】
６．０、７．１、１５．３、２５．０、２８．３°２θ±０．２°２θにおけるピークを有するＸＲＰＤパターンを特徴とする、結晶性ゲニステインナトリウム塩二水和物。
【請求項４】
ゲニステインカリウム二水和物。
【請求項５】
１１．６、１４．５、２４．５、２５．２におけるピークと、３つのピーク２７．６、２８．０、２８．４°２θ±０．２°２θのうちの少なくとも２つとを有するＸＲＰＤパターンを特徴とする、結晶性ゲニステインカリウム塩二水和物。
【請求項６】
ゲニステインカルシウム塩、ゲニステインマグネシウム塩、ゲニステインＬ−リシン塩、ゲニステインＮ−メチルグルカミン塩、ゲニステインＮ−エチルグルカミン塩またはゲニステインジエチルアミン塩から選択される、ゲニステイン塩。
【請求項７】
結晶性ゲニステインカルシウム塩、結晶性ゲニステインマグネシウム塩、結晶性ゲニステインＬ−リシン塩、結晶性ゲニステインＮ−メチルグルカミン塩、結晶性ゲニステインＮ−エチルグルカミン塩または結晶性ゲニステインジエチルアミン塩から選択される、結晶性ゲニステイン塩。
【請求項８】
結晶性ゲニステイン一水和物。
【請求項９】
治療有効量の請求項１〜８のいずれか１項に記載の少なくとも１種のゲニステイン化合物と、少なくとも１種の薬学的に許容されるキャリアとを含む、治療用組成物。
【請求項１０】
癌を治療または予防するための、請求項９に記載の組成物。
【請求項１１】
治療有効量の請求項１〜８のいずれか１項に記載の少なくとも１種のゲニステイン化合物を必要な患者に投与する工程を含む癌の治療方法において使用するための、請求項１〜８のいずれか１項に記載の少なくとも１種のゲニステイン化合物。
【請求項１２】
治療有効量の請求項９に記載の組成物を必要な患者に投与する工程を含む慢性炎症（炎症性疾患）の治療方法において使用するための、請求項９に記載の組成物。
【請求項１３】
治療有効量の請求項１〜８のいずれか１項に記載の少なくとも１種のゲニステイン化合物を必要な患者に投与する工程を含む慢性炎症（炎症性疾患）の治療方法において使用するための、請求項１〜８のいずれか１項に記載の少なくとも１種のゲニステイン化合物。
【請求項１４】
治療有効量の請求項９に記載の組成物を必要な患者に投与する工程を含むトランスサイレチンアミロイドーシスの治療方法において使用するための、請求項９に記載の組成物。
【請求項１５】
治療有効量の請求項１〜８のいずれか１項に記載の少なくとも１種のゲニステイン化合物を必要な患者に投与する工程を含むトランスサイレチンアミロイドーシスの治療方法において使用するための、請求項１〜８のいずれか１項に記載の少なくとも１種のゲニステイン化合物。
【請求項１６】
治療有効量の請求項９に記載の組成物を必要な患者に投与する工程を含む嚢胞性線維症の治療方法において使用するための、請求項９に記載の組成物。
【請求項１７】
治療有効量の請求項１〜８のいずれか１項に記載の少なくとも１種のゲニステイン化合物を必要な患者に投与する工程を含む嚢胞性線維症の治療方法において使用するための、請求項１〜８のいずれか１項に記載の少なくとも１種のゲニステイン化合物。
【請求項１８】
治療有効量の請求項９に記載の組成物を必要な患者に投与する工程を含む感染の治療方法において使用するための、請求項９に記載の組成物。
【請求項１９】
治療有効量の請求項１〜８のいずれか１項に記載の少なくとも１種のゲニステイン化合物を必要な患者に投与する工程を含む感染の治療方法において使用するための、請求項１〜８のいずれか１項に記載の少なくとも１種のゲニステイン化合物。
【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
媒体中でコロイド安定性を有する、式（Ｉ）
2012512149.tif 000001
［上式中、
ＮＰは金、銀又は白金ナノ粒子であり；
Ｌは、硫黄原子を介してナノ粒子ＮＰに結合する式（ＩＩ）のリンカー又はその立体異性体であり；又はＬは、２つの硫黄原子を介してナノ粒子ＮＰに結合する式（ＩＩＩ）のリンカー又はその立体異性体であり、
2012512149.tif 000002
［上式中、
Ｘ及びＹは独立して（Ｃ２−Ｃ２０）炭化水素鎖を表し、ここで少なくとも一つの炭素原子は、ＣＯ基又はＯ及びＮからまる群から選択されるヘテロ原子によって置き換えられていてもよく；また（Ｃ２−Ｃ２０）炭化水素鎖は、ハロゲン、ＯＨ、ＣＯＮＨ２、ＣＯ２（Ｃ１−Ｃ６）アルキル及び−ＣＨＯからなる群から選択される一又は複数の置換基で置換されていてもよく；
ｎ及びｓは、独立して０から１の値を表し；
ｐは１から２の値を表し；及び
Ａは、カルボキシル基の単結合酸素原子を介してリンカーＬに結合しているその全ての立体異性体の任意のものを含む式（ＩＶ）、式（Ｖ）及び式（ＶＩ）からなる群から選択される白金（ＩＩ）ビラジカルであり、ここで、ビラジカルは塩の形態であってもよく
2012512149.tif 000003
但し、
式（ＩＩ）又は式（ＩＩＩ）のリンカーにおいて、ｎ＝１又はｓ＝１の場合；白金（ＩＩ）ビラジカルは式（ＩＩ）又は式（ＩＩＩ）のリンカーの一分子に結合し、よって同じリンカー分子と２つのＣＯＯ−Ｐｔ結合を形成し；及び
式（ＩＩ）又は式（ＩＩＩ）のリンカーにおいて、ｎ＝０又はｓ＝０の場合；白金（ＩＩ）ビラジカルは式（ＩＩ）又は式（ＩＩＩ）の２つの独立したリンカー分子に結合し、よってこれら２つのリンカー分子の各々とＣＯＯ−Ｐｔ結合を形成し；及び
式（ＩＩ）又は式（ＩＩＩ）のリンカーＬのうち少なくとも４５％が遊離のカルボキシル基の形態である］
のコンジュゲート。
【請求項２】
生理的条件下で少なくとも２５ｍＶの表面静電絶対電荷を持つ請求項１に記載のコンジュゲート。
【請求項３】
Ｘが−(ＣＨ２)ｍ−を表し、Ｙが−(ＣＨ２)ｒ−を表し、ここで、ｍは、ｍ＋ｎが２から１０の値を表す条件で、２から１０の値を表し；ｒは、ｒ＋ｓが２から１０の値を表す条件で、２から１０の値を表す請求項１から２の何れか一項に記載のコンジュゲート。
【請求項４】
ＮＰが金ナノ粒子である請求項１から３の何れか一項に記載のコンジュゲート。
【請求項５】
ナノ粒子が、４から２０ｎｍの直径を有するナノスフィアである請求項１から４の何れか一項に記載のコンジュゲート。
【請求項６】
生理学的な媒体中においてコロイド安定性を有する請求項１から５の何れか一項に記載のコンジュゲート。
【請求項７】
式(ＩＩ)のリンカーにおいて、ｎ＝０であり；式（ＩＩＩ）のリンカーにおいて、ｓ＝０である請求項１から６の何れか一項に記載のコンジュゲート。
【請求項８】
式（ＩＩ）のリンカーにおいて、ｎ＝０かつｍ＝１０であり；式（ＩＩＩ）のリンカーにおいて、ｐ＝２、ｓ＝０、及びｒ＝４である請求項７に記載のコンジュゲート。
【請求項９】
Ａが式(ＩＶ)の白金（ＩＩ）ビラジカルである請求項１から８の何れか一項に記載のコンジュゲート。
【請求項１０】
請求項１に記載の式（Ｉ）のコンジュゲートの調製方法において、次の工程：
ａ）金、銀又は白金ナノ粒子ＮＰを、式（ＩＩａ）、式（ＩＩＩａ）、立体異性体、及び式（ＩＩａ）及び式（ＩＩＩａ）の何れかの塩からなる群から選択される過剰の化合物と水溶液中で反応させて、中間体コンジュゲートを生じせしめ、
2012512149.tif 000004
ここで、Ｘ、ｎ、ｐ、Ｙ及びｓは請求項１におけるものと同じ意味を有し、
ｂ）工程ａ）において得られた中間体コンジュゲートを、塩基の存在下、水溶液中において、適量の白金（ＩＩ）化合物と反応させて、式（Ｉ）のコンジュゲートを生じせしめ、
2012512149.tif 000005
ここで、白金（ＩＩ）化合物は、何れかの立体異性体を含む、式（ＩＶａ）、式（Ｖａ）、式（ＶＩａ）、及び式（ＩＶａ）、式（Ｖａ）、式（ＶＩａ）の何れかの塩からなる群から選択される方法。
【請求項１１】
請求項１から９の何れかに記載の式（Ｉ）のコンジュゲートを、一又は複数の薬学的に許容可能な賦形剤と共に含有する薬学的組成物。
【請求項１２】
静脈内、皮下、又は筋肉内注射によって投与される請求項１１に記載の組成物。
【請求項１３】
癌に使用される請求項１から９の何れか一項に記載の式（Ｉ）のコンジュゲート。
【請求項１４】
ナノ粒子が、４から２０ｎｍの直径を有する金ナノスフィアである請求項１３に記載のコンジュゲート。
【請求項１５】
式（ＩＩ）のリンカーにおいて、ｍ＝１０であり、式（ＩＩＩ）のリンカーにおいて、ｐ＝２及びｒ＝４である請求項１３から１４の何れか一項に記載のコンジュゲート。
【請求項１６】
Ａが式（ＩＶ）の白金（ＩＩ）ビラジカルである請求項１３から１５の何れか一項に記載のコンジュゲート。
【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
エレベータ設備（１０３）用の昇降路骨組（１０２）であって、前記昇降路骨組が、自立するように及び／又はエレベータ昇降路（１００）内に配置可能であり、かつ荷重懸吊手段（２００）を受容し、前記荷重懸吊手段が、駆動モータ（１２６）に接続されかつ前記昇降路骨組（１０２）の上に又は前記エレベータ昇降路（１００）内に水平に取り付けられた少なくとも１つの駆動軸（２０４）を介して、運搬手段、特に牽引装置（２０８）を用いて、前記昇降路骨組（１０２）内で上方に及び下方に移動される昇降路骨組において、
少なくとも１つの駆動軸（２０４）が、前記昇降路骨組（１０２）の対角線上の２つの隅部領域（１０５）間にほぼ水平に延在し、前記エレベータ昇降路（１００）の前記昇降路骨組（１０２）又は壁部の対向する部分に、特に長手方向側面（１０９、１１１、１１３、１１５）に間接的に又は直接的に接続され、前記長手方向側面の２つの端部の各々の領域に、各々の場合に運搬手段（２０８）を用いて前記荷重懸吊手段（２００）を上方にまた下方に移動させる駆動滑車（２０６）を有する昇降路骨組。
【請求項２】
前記昇降路骨組（１０２）及び／又は前記荷重懸吊手段、特に前記移動プラットホーム（２００）の断面が、卵形又は多角形、好ましくは正方形の構造であり、前記駆動軸（２０４）の端部に付設された前記運搬手段（２０８）が、前記隅部領域を形成する前記昇降路骨組（１０２）の垂直に延びる少なくとも前記長手方向側面（１０９、１１１、１１３、１１５）のすぐ近傍にかつ前記長手方向側面に対し平行に延びる、請求項１に記載の昇降路骨組。
【請求項３】
１つの駆動軸又は互いに同軸に配向された２つの駆動軸（２０４）が、前記昇降路骨組（１０２）の前記対向する隅部領域（１０５）間に延在し、前記駆動モータ（１２６）に動作的に接続されるか、あるいは各々の駆動軸が各々の場合に駆動モータに動作的に接続される、請求項１又は２に記載の昇降路骨組。
【請求項４】
前記駆動モータ（１２６）が出力軸を有し、前記出力軸の前記回転軸線（１１７）が、前記運搬手段、特に前記牽引装置（２０８）の前記駆動軸（２０４）の回転軸線（１１９）に対しほぼ直角に配置される、請求項１〜３のいずれか１項に記載の昇降路骨組。
【請求項５】
前記荷重懸吊手段（２００）が、少なくとも２つの側面要素（２０２）を有する移動プラットホームであり、前記側面要素が、前記移動プラットホーム（２００）の前記端縁領域で及び／又は隅部領域（１０５）で直立に立ち、かつ前記運搬手段（２０８）に接続される、請求項１〜４のいずれか１項に記載の昇降路骨組。
【請求項６】
前記運搬手段（２０８）が、前記移動プラットホーム（２００）の前記側面要素（２０２）と、前記隅部領域（１０５）を形成する前記昇降路骨組（１０２）の前記長手方向側面（１０９、１１１、１１３、１１５）との間に配置される、請求項１〜５のいずれか１項に記載の昇降路骨組。
【請求項７】
前記牽引装置（２０８）が、滑車台（２０９）の原理で設計され、１つ以上の偏向滑車（２０６、２１２、２１４、２１９）を有する、請求項１〜６のいずれか１項に記載の昇降路骨組。
【請求項８】
前記偏向滑車（２０６、２１２、２１４、２１９）のすべての軸線が、垂直に延びる平面上にほぼ互いに上下に配置される、請求項１〜７のいずれか１項に記載の昇降路骨組。
【請求項９】
挟持装置及び／又はテンション装置を用いて張力が加えられるチェーン、鋼製ロープ又は歯付きベルトを、前記牽引装置（２０８）、特に前記滑車台（２０９）用の牽引手段として使用することが可能である、請求項１〜８のいずれか１項に記載の昇降路骨組。
【請求項１０】
前記滑車台（２０９）が、１：１、２：１、３：１、４：１、５：１またはそれ以上のステップアップ比を有する、請求項１〜９のいずれか１項に記載の昇降路骨組。
【請求項１１】
前記荷重懸吊手段、特に前記移動プラットホーム（２００）が、少なくとも１つのガイド、特に前記昇降路骨組（１０２）に配置されたガイドレール（２２０）を用いて前記昇降路骨組（１０２）内を案内され、前記ガイドが、少なくとも前記昇降路骨組（１０２）の隅部領域（１０５）に及び／又は前記運搬手段（２０８）、特に前記滑車台（２０９）のすぐ近傍に配置される、請求項１〜１０のいずれか１項に記載の昇降路骨組。
【請求項１２】
前記駆動モータ（１２６）が、前記駆動軸（２０４）と共に、前記昇降路骨組（１０２）の昇降路頭部（１２４）に又は昇降路ピット（１１４）に配置される、請求項１〜１１のいずれか１項に記載の昇降路骨組。
【請求項１３】
前記移動プラットホーム（２００）の前記直立フレーム部分、特に側面要素（２０２）が、自由なアクセス開口部（１２８）が少なくとも４つの側面に存在するように、前記移動プラットホーム（２００）の前記隅部領域（１０５）に配置される、請求項１〜１２のいずれか１項に記載の昇降路骨組。
【請求項１４】
前記移動プラットホーム（２００）の上の１つ以上のアクセス開口部（１２８）を、カゴ壁部及び／又はドアを用いて閉鎖することができる、請求項１〜１３のいずれか１項に記載の昇降路骨組。
【請求項１５】
前記昇降路骨組（１０２）が、対角線上の垂直に延びる少なくとも２つの支柱（２２６）から構成され、前記支柱の上に、前記運搬手段（２０８）、ガイドレール（２２０）及び少なくとも１つの上方偏向滑車と少なくとも１つの下方偏向滑車（２０６、２１９）が間接的に又は直接的に配置される、請求項１〜１４のいずれか１項に記載の昇降路骨組。
【請求項１６】
前記昇降路骨組（１０２）及び／又は前記対角線上の垂直に延びる支柱（２２６）及び／又は前記昇降路骨組（１０２）の前記隅部領域（１０５）の交差部材（１２７）が、前記エレベータ昇降路（１００）の少なくとも１つの内壁（２２７）に間接的に又は直接的に接続される、請求項１〜１５のいずれか１項に記載の昇降路骨組。
【請求項１７】
前記ガイドレール（２２０）が、直接及び／又はホルダ（２３０）を用いて、前記エレベータ昇降路（１００）の前記昇降路壁部に又は前記内壁（２２７）に締結される、請求項１〜１６のいずれか１項に記載の昇降路骨組。
【手続補正書】
【提出日】平成24年11月8日(2012.11.8)
【手続補正１】
【補正対象書類名】特許請求の範囲
【補正対象項目名】全文
【補正方法】変更
【補正の内容】
【特許請求の範囲】
【請求項１】
反応チャンバを含む、バブリング流動層タイプの流動層反応炉においてアルカリ金属又はアルカリ土類金属のフルオロシリケートを熱分解することにより四フッ化ケイ素を調製するプロセスであって、
反応チャンバにフルオロシリケート及び流動媒体を導入する工程と、
上記反応チャンバの流動媒体内においてフルオロシリケートを分散させる工程と、
上記反応チャンバの温度を４００℃より高く維持して上記フルオロシリケートを熱分解し四フッ化ケイ素を生成させる工程と、
上記反応チャンバから四フッ化ケイ素を排出する工程と、を備えるプロセス。
【請求項２】
上記流動媒体には、四フッ化ケイ素ガスが含まれる請求項１記載のプロセス。
【請求項３】
上記排出された四フッ化ケイ素の一部が、上記反応チャンバに導入され、上記反応チャンバにおいてフルオロシリケートが分散される請求項１又は２に記載のプロセス。
【請求項４】
上記フルオロシリケートが分解され、アルカリ金属又はアルカリ土類金属のフッ化物が生成される請求項１〜３のいずれかに記載のプロセス。
【請求項５】
上記反応チャンバが、上記アルカリ金属又はアルカリ土類金属のフッ化物の溶融温度未満に維持される請求項４記載のプロセス。
【請求項６】
上記フルオロシリケートが粉状粒子を含む粉末であり、上記粉状粒子の平均公称直径が、２５μｍ〜５００μｍである請求項１〜５のいずれかに記載のプロセス。
【請求項７】
上記フルオロシリケート粉状粒子が分解され四フッ化ケイ素ガス及びアルカリ金属又はアルカリ土類金属のフッ化物の固体残渣が生成され、上記フッ化物の固体残渣が、上記反応チャンバから排出され、上記反応チャンバにフルオロシリケート粉状粒子を導入することと、対応する上記フッ化物の固体残渣を排出することとの間の平均時間間隔が、５分〜５０分である請求項６に記載のプロセス。
【請求項８】
上記フッ化物の固体残渣が、上記反応チャンバから排出される四フッ化ケイ素とともに、上記反応チャンバから排出され、
上記フッ化物の固体残渣が、微粒子セパレータにおいて、上記排出された四フッ化ケイ素から分離される請求項７に記載のプロセス。
【請求項９】
上記反応チャンバが、１バール未満の絶対圧力に維持される請求項１〜８のいずれかに記載のプロセス。
【請求項１０】
上記反応チャンバが、０．００１バール〜０．１バールの絶対圧力に維持される請求項１〜９のいずれかに記載のプロセス。
【請求項１１】
上記反応チャンバに導入する前に上記フルオロシリケートを乾燥させる請求項１〜１０のいずれかに記載のプロセス。
【請求項１２】
上記フルオロシリケートを分解しアルカリ金属又はアルカリ土類金属のフッ化物の固体残渣を生成させるプロセスであって、
反応チャンバからフッ化物の固体残渣を排出する工程と、
上記フッ化物の固体残渣とフルオロケイ酸とを反応させてアルカリ金属又はアルカリ土類金属のフルオロシリケートを生成させる工程と、
上記アルカリ金属又はアルカリ土類金属のフルオロシリケートを上記反応チャンバに導入する工程と、
をさらに備える請求項１〜１１のいずれかに記載のプロセス。
【請求項１３】
アルカリ金属又はアルカリ土類金属のフルオロシリケートを熱分解することにより四フッ化ケイ素を調製するためのシステムであって、
フルオロシリケートを熱分解して四フッ化ケイ素ガス及びアルカリ金属又はアルカリ土類金属のフッ化物とするための反応チャンバを備える、バブリング流動層タイプの流動層反応炉と、
上記反応チャンバと熱的に接続されたヒータ装置と、
上記流動層反応炉から排出されたガスを処理するための排ガス処理システムであって、上記流動層反応炉から排出されたガスからアルカリ金属又はアルカリ土類金属のフッ化物を除去するために上記流動層反応炉と熱的に接続された微粒子セパレータを含む排ガス処理システムと、を備えるシステム。
【請求項１４】
フルオロシリケート供給物から水分を除去するための乾燥装置を備える請求項１３記載のシステム。
【請求項１５】
上記乾燥装置から排出されたガスを処理するための排ガス処理システムを備え、
上記排ガス処理システムは、
上記乾燥装置から排出されたガスからフルオロシリケートダストを分離するための、上記乾燥装置に流体的に接続された微粒子セパレータと、
上記乾燥装置から排出されたガスから水蒸気を濃縮する蒸気セパレータと、を備える請求項１４記載のシステム。
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
低レベル又は検出不可能なレベルのＨＤＡＣ２を有する患者の癌を治療するための医薬を製造するためのエンザスタウリンの使用。
【請求項２】
患者の癌を治療するための医薬を製造するための、クラスＩ選択的ＨＤＡＣ阻害剤と併用されるエンザスタウリンの使用であって、前記患者が高レベルのＨＤＡＣ２を有し、前記医薬がクラスＩ選択的ＨＤＡＣ阻害剤と併用投与される使用。
【請求項３】
クラスＩ選択的ＨＤＡＣ阻害剤が、ボリノスタット、デプシペプチド、ＭＳ−２７５、ＭＧＣＤ０１０３、ベリノスタット、Ｂａｃｅｃａ、パノビノスタット、ＰＣＩ−２４７８１、ＴＳＡ、ＬＡＱ８３４、ＳＢＨＡ、酪酸ナトリウム、バルプロ酸、アピシジン、酪酸フェニル、ＣＩ９９４、トラポキシン、ＳＢ−４２９２０１、ビピリジニウムジエン、ＳＨＩ−１：２、Ｒ３０６４６５、ＳＢ−３７９２７８Ａ、及びＰＣＩ−３４０５１からなる群から選択される、請求項２に記載の使用。
【請求項４】
癌が、結腸直腸癌、胃癌、子宮内膜癌、卵巣癌、乳癌、肝臓癌、肺癌、腎臓癌、皮膚Ｔ細胞リンパ腫、膠芽腫、リンパ腫、膵臓癌及び前立腺癌からなる群から選択される、請求項１〜３のいずれか一項に記載の使用。
【手続補正書】
【提出日】平成24年10月1日(2012.10.1)
【手続補正１】
【補正対象書類名】明細書
【補正対象項目名】００５９
【補正方法】変更
【補正の内容】
【００５９】
本発明の活性物質は、幅広い農林植物の害虫、貯蔵穀物の害虫、公共衛生の害虫および動物の健康を害する害虫などの抑制および駆除に用いることができる。本明細書において、「殺虫剤」とは、上述のすべての害虫を防除する機能を有する物質の総称である。害虫の例は、コクゾウムシ(Sitophilus zeamais)、コクヌストモドキ(Tribolium castaneum)、オオニジュウヤホシテントウ(Henosepilachna vigintioctomaculata)、ニジュウヤホシテントウ(Henosepilachna sparsa)、トビイロムナボソコメツキ(Agriotes fuscicollis)、アカアシドウガネ（Anomala cupripes）、クアドリギュタータマメコガネ（Popillia quadriguttata）、ヒエログリフィカハムシ（Monolepta hieroglyphica）、マツノマダラカミキリ(Monochamus alternatus)、イネゾウムシ(Echinocnemus squameus)、バシプリオノタビシグナタ（Basiprionota bisignata）、ゴマダラカミキリ（Anoplophora chinensis）、クワカミキリ（Apriona germari）、シェウィリューイキクイムシ（Scolytus schevy）やトビイロムナボソコメツキ（Agriotes fuscicollis）などの鞘翅目の昆虫、マイマイガ(Lymantria dispar)、オビカレハ（Malacosoma neustria testacea）、ツゲノメイガ(Diaphania perspectalis)、オオミノガ(Clania variegata)、イラガ(Cnidocampa flavescens)、マッソンマツカレハ(Dendrolimus punctatus)、ヒメシロモンドクガ(Orgyia gonostigma)、ビロードスカシバ(Paranthrene tabaniformis)、ハスモンヨトウ（Spodoptera litura）、ニカメイガ（Chilo suppressalis）、アワノメイガ(Ostrinia nubilalis)、コナマダラメイガ（Ephestia cautella）、コカクモンハマキ（Adoxophyes orana）、ラスペイレシア・スプレンダナ（Laspeyresia splendana）、カブラヤガ  (Agrotis fucosa)、ハチノスツヅリガ（Galleria mellonella）、コナガ（Plutella xylostella）、ミカンハモグリガ（Phyllocnistis citrella）やアワヨトウ(Mythimna separata)などの鱗翅目の昆虫、ツマグロヨコバイ（Nephotettix cincticeps）、トビイロウンカ（Nilaparvata lugens）、クワコナカイガラムシ（Pseudococcus comstocki）、ヤノネカイガラムシ(Unaspis yanonensis)、モモアカアブラムシ（Myzus persicae）、ワタアブラムシ (Aphis gossypii)、ニセダイコン(Lipaphis erysimi pseudobrassicae)、ナシグンバイ(Stephanitis nashi)やタバココナジラミ(Bemisia tabaci)などの同翅亜目の昆虫、 チャバネゴキブリ(Blattella germanica)、ワモンゴキブリ(Periplaneta americana)、ケラ（Gryllotalpa africana）やトノサマバッタ (Locusta migratoria) などの直翅目の昆虫、ヒアリ(Solenopsis invicta)やイエシロアリ(Coptotermes formosanus)などの等翅目の昆虫、イエバエ(Musca domestica)、ネッタイシマカ (Aedes aegypti)、タネバエ（Delia platura）、イエカ（Culex sp.）やシナハマダラカ(Anopheles sinensis)などの双翅目の昆虫を含むが、これらに限定されない。動物の健康を害する害虫は、オウシマダニ（Boophilus microplus）、フタトゲチマダニ（Haemaphysalis longicornis）、アナトリクムダニ（Hyalomma anatolicum）、ウシバエ（Hypoderma spp.）、カンテツ（Fasciola hepatica）、ベネデン条虫（Moniezia benedeni）、オステルタジア線虫（Ostertagia spp.）、原虫のトリパノソーマ・エバンシ（Trypanosoma evansi）、バベシア・ビゲミナ（Babesia bigemina）などを含む。
【手続補正２】
【補正対象書類名】明細書
【補正対象項目名】０１４０
【補正方法】変更
【補正の内容】
【０１４０】
【表４】
2012512191.tif 000001
【手続補正書】
【提出日】平成24年10月4日(2012.10.4)
【手続補正１】
【補正対象書類名】明細書
【補正対象項目名】００５３
【補正方法】変更
【補正の内容】
【００５３】
適切な混合機具は、例えば、アンカーミキサー、ブレードミキサー、  ＭＩＧ撹拌機、プロペラ型撹拌機、インペラー型撹拌機、タービン型撹拌機、クロス状の撹拌翼を持つ撹拌機、ディスパーサー・ディスク、中空撹拌機（スパージング・スターラー（ｓｐａｒｇｉｎｇ  ｓｔｉｒｒｅｒ））、ローター・ステーター式ミキサー、スタティックミキサー、ベンチュリノズル、および／またはマンモス・ポンプである。
【手続補正２】
【補正対象書類名】明細書
【補正対象項目名】００５９
【補正方法】変更
【補正の内容】
【００５９】
多相系を使用する場合は、それに加えて、何らかの相間移動触媒が使用されるとよい。
【手続補正３】
【補正対象書類名】明細書
【補正対象項目名】０１７９
【補正方法】変更
【補正の内容】
【０１７９】
例１
撹拌機とスパイラル式凝縮器を備えた三つ口フラスコに、室温で水１８８ｇを先に投入し、撹拌しながら窒素をこれに通してガス抜きする。続いてこれに窒素下で硫酸パラジウム（ＩＩ）０．２ｍｇおよびトリス（３−スルホフェニル）ホスフィン三ナトリウム塩２．３ｍｇを加えて撹拌した後、水６６ｇ中に入れたホスフィン酸６６ｇを添加する。この反応液を、２ｌビュッヒ（Ｂｕｅｃｈｉ）反応器に移し替え、撹拌しながら加圧下でエチレンを送り込み、反応混合物を８０℃に加熱する。エチレン２８ｇが取り込まれた後、冷却して、反応混合物から、ロータリーエバポレーターで溶媒を除去する。残滓を完全脱塩水１００ｇと混合して、室温で撹拌した後、これを濾過して、トルエンを用いて濾液の抽出を行い、その後、ロータリーエバポレーターで溶媒を除去して、得られたエチル亜ホスホン酸を回収する。収量：９２ｇ（理論量の９８％）。
【誤訳訂正書】
【提出日】平成24年10月5日(2012.10.5)
【誤訳訂正１】
【訂正対象書類名】明細書
【訂正対象項目名】００９７
【訂正方法】削除
【訂正の内容】
【誤訳訂正２】
【訂正対象書類名】明細書
【訂正対象項目名】００９８
【訂正方法】変更
【訂正の内容】
【００９８】
好ましくは、反応の間、触媒Ａが、均一および／または不均一に作用する。したがって、不均一に作用を呈する触媒はいずれも、反応の間には懸濁液として、あるいはある種の固相に結合させた状態で作用させる。
【誤訳訂正３】
【訂正対象書類名】明細書
【訂正対象項目名】０１０２
【訂正方法】変更
【訂正の内容】
【０１０２】
本発明による反応は、液相中、気相中、または超臨界相中でも行うことができる。その際に、触媒Ａは、液体の場合、好ましくは均一系触媒または懸濁液として使用されるのに対して、反応が気相操作方式または超臨界操作方式で行われる場合、固定床配置が有利である。
【誤訳訂正４】
【訂正対象書類名】明細書
【訂正対象項目名】０１０３
【訂正方法】変更
【訂正の内容】
【０１０３】
適切な溶媒は、水、アルコール類、例えば、メタノール、エタノール、ｉ−プロパノール、ｎ−プロパノール、ｎ−ブタノール、ｉ−ブタノール、ｔ−ブタノール、ｎ−アミルアルコール、ｉ−アミルアルコール、ｔ−アミルアルコール、ｎ−ヘキサノール、ｎ−オクタノール、ｉ−オクタノール、ｎ−トリデカノール、ベンジルアルコールなどである。好ましくは、それ以外に、グリコール類、例えば、エチレングリコール、１，２−プロパンジオール、１，３−プロパンジオール、１，３−ブタンジオール、１，４−ブタンジオール、ジエチレングリコールなど；脂肪族炭化水素類、例えば、ペンタン、ヘキサン、ヘプタン、オクタン、および石油エーテル、石油ベンジン、ケロシン、石油、パラフィン油など；芳香族炭化水素類、例えば、ベンゼン、トルエン、キシレン、メシチレン、エチルベンゼン、ジエチルベンゼンなど；ハロゲン化炭化水素類、例えば、塩化メチレン、クロロホルム、１，２−ジクロロエタン、クロロベンゼン、四塩化炭素、テトラブロモエチレンなど；脂環式炭化水素類、例えば、シクロペンタン、シクロヘキサン、およびメチルシクロヘキサンなど；エーテル類、例えば、アニソール（メチルフェニルエーテル）、ｔ−ブチルメチルエーテル、ジベンジルエーテル、ジエチルエーテル、ジオキサン、ジフェニルエーテル、メチルビニルエーテル、テトラヒドロフラン、トリイソプロピルエーテルなど；グリコエーテル類、例えば、ジエチレングリコールジエチルエーテル、ジエチレングリコールジメチルエーテル（ジグリム）、ジエチレングリコールモノブチルエーテル、ジエチレングリコールモノメチルエーテル、１，２−ジメトキシエタン（ＤＭＥモノグリム）、エチレングリコールモノブチルエーテル、トリエチレングリコールジメチルエーテル（トリグリム）、トリエチレングリコールモノメチルエーテルなど；ケトン類、例えば、アセトン、ジイソブチルケトン、メチル−ｎ−プロピルケトンなど；、メチルエチルケトン、メチル−ｉ−ブチルケトンなど；ギ酸メチル、酢酸メチル、酢酸エチル、酢酸ｎ−プロピル、および酢酸ｎ−ブチルなどのエステル；カルボン酸類、例えば、ギ酸、酢酸、プロピオン酸、酪酸などであり、単独で、または相互に組み合わされる。
【誤訳訂正５】
【訂正対象書類名】明細書
【訂正対象項目名】０１１３
【訂正方法】変更
【訂正の内容】
【０１１３】
補助剤１は、好ましくは、水および／または、少なくとも一つの金属捕捉剤（Ｍｅｔａｌ  Ｓｃａｖｅｎｇｅｒ）のファミリーを代表物質である。好ましい金属捕捉剤は、金属酸化物類、例えば酸化アルミニウム、二酸化ケイ素、二酸化チタン、二酸化ジルコニウム、酸化亜鉛、酸化ニッケル、酸化バナジウム、酸化クロム、酸化マグネシウム、Ｃｅｌｉｔｅ（登録商標）、珪藻土；金属炭酸塩類、例えば炭酸バリウム、炭酸カルシウム、炭酸ストロンチウム；金属硫酸塩類、例えば硫酸バリウム、硫酸カルシウム、硫酸ストロンチウム；金属リン酸塩類、例えばリン酸アルミニウム、リン酸バナジウム；金属炭化物類、例えば炭化ケイ素；金属アルミン酸類、例えばアルミン酸カルシウム；金属シリケート類、例えばケイ酸アルミニウム、チョーク、ゼオライト、ベントナイト、モンモリロナイト、ヘクトライト；機能性シリケート類、機能性シリカゲル類、例えばＳｉｌｉａＢｏｎｄ（登録商標）、ＱｕａｄｒａＳｉｌ（商標）；機能性ポリシロキサン類、例えばＤｅｌｏｘａｎ（登録商標）；金属窒化物類、石炭、活性炭、ムライト、ボーキサイト、アンチモナイト、シェーライト、ペロブスカイト、ハイドロタルサイト、機能性および非機能性セルロース、キトサン、ケラチン、ヘテロポリアニオン、イオン交換体類、例えばＡｍｂｅｒｌｉｔｅ（商標）、Ａｍｂｅｒｊｅｔ（商標）、Ａｍｂｅｒｓｅｐ（商標）、Ｄｏｗｅｘ（登録商標）、Ｌｅｗａｔｉｔ（登録商標）、ＳｃａｖＮｅｔ（登録商標）；機能性ポリマー類、例えばＣｈｅｌｅｘ（登録商標）、ＱｕａｄｒａＰｕｒｅ（商標）、Ｓｍｏｐｅｘ（登録商標）、ＰｏｌｙＯｒｇｓ（登録商標）；ポリマー固定化ホスファン、ホスファン酸化物類、ホスフィネート類、ホスホナート類、ホスフェート類、アミン類、アンモニウム塩類、アミド類、チオアミド類、尿素類、チオ尿素類、トリアジン類、イミダゾール類、ピラゾール類、ピリジン類、ピリミジン類、ピラジン類、チオール類、チオールエーテル類、チオールエステル類、アルコール類、アルコキシド類、エーテル類、エステル類、カルボン酸類、アセテート類、アセタール類、ペプチド類、ヘタレン類、ポリエチレンイミン／二酸化ケイ素および／またはデンドリマー類である。
【誤訳訂正６】
【訂正対象書類名】明細書
【訂正対象項目名】０１７７
【訂正方法】変更
【訂正の内容】
【０１７７】
ほかにも適しているのは、アルミニウム金属、フッ化アルミニウム、アルミニウムヒドロキシクロリド、臭化アルミニウム、ヨウ化アルミニウム、硫化アルミニウム、セレン化アルミニウム；リン化アルミニウム、次亜リン酸アルミニウム、アンチモン化アルミニウム、窒化アルミニウム；炭化アルミニウム、ヘキサフルオロケイ酸アルミニウム；水素化アルミニウム、水素化カルシウムアルミニウム、水素化ホウ素アルミニウム；塩素酸アルミニウム；硫酸ナトリウムアルミニウム、硫酸アルミニウムカリウム、硫酸アルミニウムアンモニウム、硝酸アルミニウム、メタリン酸アルミニウム、リン酸アルミニウム、ケイ酸アルミニウム、ケイ酸アルミニウムマグネシウム、炭酸アルミニウム、アルミニウムのハイドロタルサイト、炭酸アルミニウムナトリウム、ホウ酸アルミニウム；チオシアン酸アルミニウム；酸化アルミニウム、水酸化酸化アルミニウム、これらの相応の水和物、および／または、好適にはアルミニウム含有率が９〜４０重量％のポリアルミニウムヒドロキシ化合物である。
【手続補正書】
【提出日】平成24年10月5日(2012.10.5)
【手続補正１】
【補正対象書類名】明細書
【補正対象項目名】００８６
【補正方法】変更
【補正の内容】
【００８６】
触媒Ａのための遷移金属は、例えば、レニウム、ルテニウム、コバルト、ロジウム、イリジウム、ニッケル、パラジウム、および白金などのような、第ＶＩＩＢ族および第ＶＩＩＩＢ族の元素（現在の長周期表の族名では、７族、８族、９族または１０族の金属）であることが好ましい。
【手続補正２】
【補正対象書類名】明細書
【補正対象項目名】００９９
【補正方法】変更
【補正の内容】
【００９９】
リガンドは、下記一般式
Ｒ１１Ｍ”−Ｚ−Ｍ”Ｒ１１        （ＶＩ）
の二座リガンドであると非常に好ましい。式中、Ｍ”は、相互に独立して、Ｎ、Ｐ、ＡｓまたはＳｂを表わす。Ｍ”は、両方とも等しいことが好ましく、またＭ”は、一つのリン原子であると非常に好ましい。
【手続補正３】
【補正対象書類名】明細書
【補正対象項目名】０１１１
【補正方法】変更
【補正の内容】
【０１１１】
適切な混合機具は、例えば、アンカーミキサー、ブレードミキサー、ＭＩＧ撹拌機、プロペラ型撹拌機、インペラー型撹拌機、タービン型撹拌機、クロス状の撹拌翼を持つ撹拌機、ディスパーサー・ディスク、中空撹拌機（スパージング・スターラー（ｓｐａｒｇｉｎｇ  ｓｔｉｒｒｅｒ））、ローター・ステーター式ミキサー、スタティックミキサー、ベンチュリノズル、および／またはマンモス・ポンプである。
【手続補正４】
【補正対象書類名】明細書
【補正対象項目名】０１６９
【補正方法】変更
【補正の内容】
【０１６９】
方法１から４の方法ステップｂ）において得られる一官能化ジアルキルホスフィン酸／一官能化ジアルキルホスフィン酸エステル（ＩＩＩ）は、それぞれ対応するジアルキルホスフィン酸のアルカリ塩に転化されて、これらが工程ステップｃ）において、Ｍｇ、Ｃａ、Ａｌ、Ｚｎ、Ｔｉ、Ｓｎ、Ｚｒ、Ｃｅ、またはＦｅの金属化合物を用いて、これらの金属の一官能化ジアルキルホスフィン酸塩（ＩＩＩ）に変換されることが好ましい。
【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
式（Ｉ）の化合物または薬学的に許容できるその塩
【化１】
2012512863.tif 000001
［式中、
Ｒ１は、ハロ、ヒドロキシ、（Ｃ１〜Ｃ６）アルコキシ、−ＮＲ７Ｒ８、−Ｃ（＝Ｏ）ＮＲ７Ｒ８および３から７員の複素環からなる群から選択される１から３個の置換基で置換されている（Ｃ１〜Ｃ６）アルキルであり、ここで、Ｒ７およびＲ８は独立に、水素または（Ｃ１〜Ｃ６）アルキルであり、前記複素環は、Ｏ、ＮまたはＳから独立に選択される１から３個のヘテロ原子を含有し、
Ｒ２は、水素またはメチルであり、
Ｒ３は、水素またはメチルであり、
Ｒ４は、水素、重水素またはＦもしくはＣｌから独立に選択される１から３個の置換基で置換されていてもよいメチルであり、
Ｒ５は、水素、重水素またはＦもしくはＣｌから独立に選択される１から３個の置換基で置換されていてもよいメチルであり、
Ｒ６は、Ｈまたは−Ｃ（＝Ｏ）ＯＨであり、
Ｘは、Ｃ（Ｈ）、Ｃ（Ｆ）、Ｃ（Ｃｌ）またはＮである］。
【請求項２】
式（ＩＡ）を有する、請求項１に記載の化合物または薬学的に許容できるその塩。
【化２】
2012512863.tif 000002
【請求項３】
Ｒ２が水素であり、
Ｒ３が水素であり、
Ｒ４がメチルであり、
Ｒ５がメチルであり、
Ｒ６が−Ｃ（＝Ｏ）ＯＨであり、
ＸがＣ（Ｈ）である、請求項１または２に記載の化合物または薬学的に許容できるその塩。
【請求項４】
Ｒ１が、ハロ、ヒドロキシ、−ＮＨ２、−Ｃ（＝Ｏ）ＮＨ２および３から７員の複素環からなる群から選択される１から３個の置換基で置換されている（Ｃ１〜Ｃ６）アルキルであり、ここで、前記複素環は、Ｏ、ＮまたはＳから独立に選択される１から３個のヘテロ原子を含有する、請求項１から３のいずれかに記載の化合物または薬学的に許容できるその塩。
【請求項５】
下式である、請求項１に記載の化合物または薬学的に許容できるその塩。
【化３】
2012512863.tif 000003
【請求項６】
下式である、請求項１に記載の化合物。
【化４】
2012512863.tif 000004
【請求項７】
下式である、請求項１に記載の化合物または薬学的に許容できるその塩。
【化５】
2012512863.tif 000005
【請求項８】
下式である、請求項１に記載の化合物または薬学的に許容できるその塩。
【化６】
2012512863.tif 000006
【請求項９】
下式である、請求項１に記載の化合物または薬学的に許容できるその塩。
【化７】
2012512863.tif 000007
【請求項１０】
式（ＩＢ）である、請求項１に記載の化合物および薬学的に許容できるその塩
【化８】
2012512863.tif 000008
［式中、Ｒ１は、
【化９】
2012512863.tif 000009
からなる群から選択される］。
【請求項１１】
請求項１から１０のいずれかに記載の化合物または薬学的に許容できるその塩と、薬学的に許容できる担体とを含む医薬組成物。
【請求項１２】
抗菌剤の製造における請求項１から１０のいずれかに記載の化合物または薬学的に許容できる塩の使用。
【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
ケイ素含有部品に対するＣＭＡＳ低減能力を有する耐環境コーティングであって、当該耐環境コーティングが、
アルミナイド−アルミナ熱成長酸化物（ＴＧＯ）を含むボンドコート層と、
ＡｅＡｌ2Ｏ19からなる遷移層とＡｅＡｌ4Ｏ7からなる外層との組合せ、又は
バリウムストロンチウムアルミノケイ酸塩（ＢＳＡＳ）を含む遷移層と、ＺｎＡｌ2Ｏ4、ＭｇＡｌ2Ｏ4、Ｌｎ2Ｓｉ2Ｏ7、ＬｎＰＯ4及びＬｎ2ＳｉＯ5からなる群から選択される外層との組合せと
を含んでいて、前記ボンドコート層が前記遷移層とケイ素含有部品の間にあり、前記遷移層が前記ボンドコート層と外層の間にある、耐環境コーティング。
【請求項２】
アルミナイド−アルミナＴＧＯを含むボンドコート層と、
ＡｅＡｌ2Ｏ19からなる遷移層と、
ＡｅＡｌ4Ｏ7からなる外層と
を含む、請求項１記載の耐環境コーティング。
【請求項３】
アルミナイド−アルミナＴＧＯを含むボンドコート層と、
ＢＳＡＳを含む遷移層と、
ＺｎＡｌ2Ｏ4、ＭｇＡｌ2Ｏ4、Ｌｎ2Ｓｉ2Ｏ7、ＬｎＰＯ4及びＬｎ2ＳｉＯ5からなる群から選択される外層と
を含む、請求項１記載の耐環境コーティング。
【請求項４】
前記アルミナイドがルテニウムアルミナイド、白金アルミナイド、ニッケルアルミナイド、チタンアルミナイド、及びこれらの組合せからなる群から選択される、請求項１乃至請求項３のいずれか１項記載の耐環境コーティング。
【請求項５】
前記外層がＺｎＡｌ2Ｏ4からなる、請求項３記載の耐環境コーティング。
【請求項６】
前記外層がＬｎ2Ｓｉ2Ｏ7からなる、請求項３記載の耐環境コーティング。
【請求項７】
前記外層がＬｎＰＯ4からなる、請求項３記載の耐環境コーティング。
【請求項８】
前記外層がＬｎ2ＳｉＯ5からなる、請求項３記載の耐環境コーティング。
【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
ケイ素含有部品に対するＣＭＡＳ低減能力を有する耐環境コーティングであって、
ケイ素又はシリサイドからなるボンドコート層と、
ＨｆＯ2又はＬｎＰＯ4からなる遷移層と、
Ｌｎ4Ａｌ2Ｏ9、Ｌｎ4Ｇａ2Ｏ9、ＡｅＺｒＯ3、ＡｅＨｆＯ3、ＺｎＡｌ2Ｏ4、Ｌｎ3Ｇａ5Ｏ12、Ｌｎ2Ａｌ5Ｏ12、ＡｅＡｌ12Ｏ19、Ｌｎ2ＳｉＯ5、Ｌｎ2Ｓｉ2Ｏ7及びＧａ2Ｏ3からなる群から選択される外層と
を含んでいて、前記ボンドコート層が前記遷移層とケイ素含有部品の間にあり、前記遷移層が前記ボンドコート層と外層の間にある、耐環境コーティング。
【請求項２】
前記遷移層がＬｎＰＯ4からなり、前記外層がＬｎ2ＳｉＯ5又はＬｎ2Ｓｉ2Ｏ7からなる、請求項１記載の耐環境コーティング。
【請求項３】
ケイ素含有部品に対するＣＭＡＳ低減能力を有する耐環境コーティングであって、
ケイ素又はシリサイドからなるボンドコートと、
ＨｆＯ2又はＬｎＰＯ4から選択される第１の遷移層と、
ＡｅＡｌ12Ｏ19からなる第２の遷移層と、
ＡｅＡｌ4Ｏ7からなる外層と
を含んでいて、前記ボンドコート層が前記第１の遷移層とケイ素含有部品の間にあり、前記２の遷移層が前記第１の遷移層と外層の間にある、耐環境コーティング。
【請求項４】
ケイ素含有部品に対するＣＭＡＳ低減能力を有する耐環境コーティングであって、
ケイ素又はシリサイドからなるボンドコート層と、
Ｌｎａ4Ｇａ2Ｏ9からなる外層と
を含んでいて、前記ボンドコートが外層とケイ素含有部品の間にある、耐環境コーティング。